(57)【要約】      （修正有）【課題】自動車道路の路肩部に設置された遮音壁の壁面清掃や、建物高所の壁面の清掃に適した壁面清掃装置を提供する。【解決手段】粒状あるいはペレット状のドライアイスを供給するドライアイス供給源３と、前記粒状あるいはペレット状のドライアイスをドライアイス噴射ノズル４から洗浄対象の壁面に向けて噴射させるための噴射用圧縮ガスを前記ドライアイス噴射ノズル４に供給する噴射用圧縮ガス供給手段５と、前記ドライアイス噴射ノズル４を昇降させる昇降機構８とを備えている壁面清掃装置１。【選択図】図２
0003176499.tif 000002
【実用新案登録請求の範囲】
【請求項１】
粒状あるいはペレット状のドライアイスを供給するドライアイス供給源と、
前記粒状あるいはペレット状のドライアイスをドライアイス噴射ノズルから洗浄対象の壁面に向けて噴射させるための噴射用圧縮ガスを前記ドライアイス噴射ノズルに供給する噴射用圧縮ガス供給手段と、
前記ドライアイス噴射ノズルを昇降させる昇降機構
とを備えている壁面清掃装置。
【請求項２】
前記壁面清掃装置を高所作業車に搭載させたことを特徴とする請求項１記載の壁面清掃装置。
【考案の詳細な説明】
【技術分野】
【０００１】
この考案は、壁面清掃装置に関し、例えば自動車道路の路肩部に設置された遮音壁の壁面清掃や、建物壁面の清掃などに用いる壁面清掃装置に関する。
【背景技術】
【０００２】
被洗浄物を洗浄する方法として、サンド、グリット、プラスティック、水のようなブラスト材を使用したブラスト洗浄方法が従来から知られている。
【０００３】
図３（ｂ）はグリットメディアをブラスト材とした従来のブラスト洗浄方法の概念図を表したものである。
【０００４】
従来の洗浄方法は、壁面などの母材１２の表面に付着している汚染物や塗料などの付着物１３に、サンド、プラスティックなどのグリットメディア１４を高速で吹き付け、付着物１３を母材１２の表面から剥がす方法である。
【０００５】
この場合、付着物１３を母材１２の表面から剥がすと同時に、母材表面が傷つき、破損面１５が形成されるおそれがあった。また、洗浄後のブラスト材の回収にも手間がかかっていた。
【０００６】
そこで、付着物１３を母材１２の表面から剥がすと共に、母材表面が傷つかない洗浄方法として、ドライアイスを使用したブラスト洗浄方法が提案されている（特許文献１、２）。
【０００７】
ドライアイスによるブラスト洗浄方法は、壁面などの母材の表面に付着している汚染物や塗料などの付着物に、粒状またはパウダー状のドライアイスペレットを高速で吹き付け、付着物を母材の表面から剥がす方法である。
【０００８】
付着物を母材の表面から剥がす原理は、高速で吹き付けられるドライアイスペレットと付着物の衝突による衝撃力、剥離した付着物と母材との間にドライアイスペレットが入り込み、昇華したドライアイスペレットの体積の膨張によるものである。
【０００９】
上述のドライアイスによるブラスト洗浄方法によって、被洗浄物を傷つけずに洗浄することができ、洗浄後のブラスト材の回収も不要となる効果がある。
【先行技術文献】
【特許文献】
【００１０】
【特許文献１】特開２００４−２２３４１０号公報
【特許文献２】特開２００２−２９４６４８号公報
【特許文献３】特開２００９−１７８８０５号公報
【考案の概要】
【考案が解決しようとする課題】
【００１１】
上述のドライアイスによるブラスト洗浄方法によって、スチール・アルミニウム・銅系の非鉄金属からプラスティック等の新素材までその表面を傷つけずに洗浄できるので、製造プロセスにおける洗浄工程だけでなく、例えば、自動車道路の路肩部に設置された遮音壁の壁面清掃や、建物高所の壁面の清掃などに上述のドライアイスによるブラスト洗浄方法を応用する提案が望まれている。
【００１２】
そこで、この考案は、自動車道路の路肩部に設置された遮音壁の壁面清掃や、建物高所の壁面の清掃に適した壁面清掃装置を提供することを目的とする。
【課題を解決するための手段】
【００１３】
上記目的を達成するため、以下の考案を提案する。
【００１４】
請求項１の考案は、
粒状あるいはペレット状のドライアイスを供給するドライアイス供給源と、
前記粒状あるいはペレット状のドライアイスをドライアイス噴射ノズルから洗浄対象の壁面に向けて噴射させるための噴射用圧縮ガスを前記ドライアイス噴射ノズルに供給する噴射用圧縮ガス供給手段と、
前記ドライアイス噴射ノズルを昇降させる昇降機構
とを備えている壁面清掃装置
である。
【００１５】
請求項２記載の考案は、
前記壁面清掃装置を高所作業車に搭載させたことを特徴とする請求項１記載の壁面清掃装置
である。
【考案の効果】
【００１６】
この考案によれば、自動車道路の路肩部に設置された遮音壁の壁面清掃や、建物高所の壁面の清掃に適した壁面清掃装置を提供することができる。
【図面の簡単な説明】
【００１７】
【図１】本考案の壁面清掃装置に採用されるドライアイスブラスト装置の一実施形態を表す図。
【図２】本考案の一実施形態を表す壁面清掃装置。
【図３】（ａ）ドライアイスによるブラスト洗浄方法の概念図、（ｂ）グリットメディアをブラスト材とした従来のブラスト洗浄方法の概念図。
【考案を実施するための形態】
【００１８】
以下、添付図面を参照して本考案の一実施形態を説明する。
【００１９】
本考案の壁面清掃装置1は、粒状あるいはペレット状のドライアイスペレット９を供給するドライアイス供給源３と、前記粒状あるいはペレット状のドライアイスペレット９をドライアイス噴射ノズル４から洗浄対象の壁面に向けて噴射させるための噴射用圧縮ガスをドライアイス噴射ノズル４に供給する噴射用圧縮ガス供給手段５と、前記ドライアイス噴射ノズル４を昇降させる昇降機構８とを備えている（図２）。
【００２０】
図１は、本実施形態の壁面清掃装置1に採用されるドライアイスブラスト装置２を表した概念図である。
【００２１】
ドライアイスブラスト装置２は、ドライアイス噴射ノズル４と、ドライアイス噴射ノズル４にドライアイス供給ホース６を介して接続されるドライアイス供給源３と、ドライアイス噴射ノズル４に圧縮ガス供給ホース７を介して接続される圧縮ガス供給手段５とを備えている。
【００２２】
ドライアイス供給源３を構成するホッパー３ｂから供給された粒状あるいはペレット状のドライアイスペレット９は、ドライアイス貯留槽３ａに貯留され、ドライアイス貯留槽３ａから所定量の前記粒状あるいはペレット状のドライアイスペレット９が、ドライアイス供給ホース６を介して噴射ノズル４へ供給される。
【００２３】
噴射ノズル４へ供給された前記前記粒状あるいはペレット状のドライアイスペレット９は、コンプレッサなどの圧縮ガス供給手段５から圧縮ガス供給ホース７を介して噴射ノズル４へ供給される圧縮ガスと共に、噴射ノズル４から所定の速度で噴射される。
【００２４】
ドライアイス供給源３から供給されるドライアイスは、液化炭酸ガスから作られ、１ｍｍ〜２ｍｍ程度の粒状に形成されたドライアイス、あるいは直径３ｍｍ、長さ４ｍｍ程度の円柱状に形成されたペレットである。
【００２５】
図３（ａ）は、ドライアイスによるブラスト洗浄方法の概念図を表したものである。
【００２６】
噴射ノズル４から噴射されたドライアイスペレット９が、壁面などの母材１２に付着している汚染物や塗料などの付着物１３に衝突すると、ドライアイスペレット９の衝突力によって付着物１３が母材１２から剥離される。
【００２７】
また、ドライアイスの極度の低温による熱収縮によって、付着物１３が割れて分解される。
【００２８】
さらに、剥離した付着物１３と母材１２との間にドライアイスペレット９が矢印１６、１７の方向へ入り込み、ドライアイスペレット９が昇華して体積が膨張する。このドライアイスペレット９の体積の膨張によって付着物１３の剥離が促進される。
【００２９】
本実施形態の壁面清掃装置１は、上述のドライアイスによるブラスト洗浄方法を利用して自動車道路の路肩部に設置された遮音壁１０の壁面や建物高所の壁面を清掃するために高所作業車１１に搭載されて構成される。
【００３０】
図２は、自動車道路の路肩部に設置された遮音壁１０の壁面を、本考案の壁面清掃装置１を用い、上述のドライアイスによるブラスト洗浄方法を利用して清掃する一例を示した図である。
【００３１】
自動車道路の路肩部に設置された遮音壁１０の壁面を清掃する場合、クレーンのようなブームを備える昇降機構８を利用して、昇降機構８の一端に接続されている作業用バスケット１６を当該壁面付近まで上昇させる。
【００３２】
作業用バスケット１６にはドライアイス供給源３が設置されており、作業員は作業用バスケット１６から噴射ノズル４を遮音壁１０の壁面に向けて、ドライアイス供給源３から供給されるドライアイスペレット９を噴射する。
【００３３】
遮音壁１０の壁面に付着している汚染物などの付着物１３は、上述のドライアイスによる剥離作用によって、遮音壁１０の壁面から剥離される。
【００３４】
このように、ドライアイスブラスト装置２とドライアイス噴射ノズル４を昇降させる昇降機構８を組み合わせた壁面清掃装置１によって、自動車道路の路肩部に設置された遮音壁１０の壁面や、建物高所の壁面を傷つけずに洗浄することができる。
【００３５】
以上、添付図面を参照して本考案の好ましい実施形態を説明したが、本考案はかかる実施形態、実施例に限定されるものではなく、実用新案登録請求の範囲の記載から把握される技術的範囲において種々に変更可能である。
【符号の説明】
【００３６】
１  壁面清掃装置
２  ドライアイスブラスト装置
３  ドライアイス供給源
３ａ  ドライアイス貯留槽
３ｂ  ホッパー
４  噴射ノズル
５  圧縮ガス供給手段
６  ドライアイス供給ホース
７  圧縮ガス供給ホース
８  昇降機構
９  ドライアイスペレット
１０  遮音壁
１１  高所作業車
１２  母材
１３  付着物
１４  グリットメディア
１５  破損面
１６  作業用バスケット
【図１】
0003176499.tif 000003
【図２】
0003176499.tif 000004
【図３】
0003176499.tif 000005